(57)【要約】【課題】ユーザがＴＶ番組、ＤＶＤコンテンツ等を視聴していない場合に、液晶表示パネル等を用いてなる表示部に画像が表示されるウォールピクチャー機能に関し、ユーザの観賞に堪えない画像が表示されることを抑制しつつ、省電力化を図ることができる表示方法、表示装置及びコンピュータプログラムを提供する。【解決手段】ユーザがＴＶ番組を視聴する場合、バックライト２２によって高い輝度で照明された、視聴に最適な画質の動画像が表示部２０に表示され、スピーカ２９３から音声が出力される（消費電力は高い）。ユーザがＴＶ番組を視聴しないが、表示装置２の近傍に存在する場合、中程度の輝度で照明された、近距離での観賞に適した画質の静止画像が表示部２０に表示される（消費電力は中程度）。ユーザが表示装置２の近傍に存在しない場合、低い輝度で照明された、遠距離からの視認に堪え得る画質の静止画像が表示部２０に表示される（消費電力は低い）。【選択図】図３
2010134381.tif 000002
【特許請求の範囲】
【請求項１】
表示装置に画像を表示させる表示方法において、
第１の明るさ及び第１の画質で、前記表示装置に第１の画像を表示させる第１表示制御ステップと、
前記第１の画像を表示させない場合に、前記第１の明るさより暗い第２の明るさ及び／又は前記第１の画質より低い第２の画質で、前記表示装置に第２の画像を表示させる第２表示制御ステップと、
前記第２の画像を表示させた後で、前記第２の明るさより暗い第３の明るさ及び／又は前記第２の画質より低い第３の画質で、前記表示装置に第３の画像を表示させる第３表示制御ステップと
を実行することを特徴とする表示方法。
【請求項２】
画像を表示する表示部を備える表示装置において、
第１の明るさ及び第１の画質で、前記表示部に第１の画像を表示させる第１表示制御手段と、
前記第１の明るさより暗い第２の明るさ及び／又は前記第１の画質より低い第２の画質で、前記表示部に第２の画像を表示させる第２表示制御手段と、
前記第２の明るさより暗い第３の明るさ及び／又は前記第２の画質より低い第３の画質で、前記表示部に第３の画像を表示させる第３表示制御手段と、
前記第１表示制御手段、第２表示制御手段、及び第３表示制御手段夫々による画像表示を切り替える切替手段と
を備え、
該切替手段は、前記第１表示制御手段による画像表示が実行されない場合に、前記第２表示制御手段による画像表示に切り替え、前記第２表示制御手段による画像表示が実行された後で、前記第３表示制御手段による画像表示に切り替えるようにしてあることを特徴とする表示装置。
【請求項３】
周辺の状態を示す物理量を検出するセンサと、
前記第２表示制御手段による画像表示が実行されている場合に、前記センサの検出結果に基づいて、前記第２の画像の表示を継続するか否かを判定する継続判定手段と
を更に備え、
前記継続判定手段が否と判定したとき、前記切替手段は、前記第３表示制御手段による画像表示に切り替えるようにしてあることを特徴とする請求項２に記載の表示装置。
【請求項４】
前記センサは、周辺の明るさを検出する光センサであり、
前記継続判定手段は、前記光センサの検出結果が所定の閾値以下である場合に、否と判定するようにしてあることを特徴とする請求項３に記載の表示装置。
【請求項５】
前記第１表示制御手段又は前記第２表示制御手段による画像表示の実行指令を受け付ける受付手段と、
前記受付手段が実行指令を受け付けたとき、前記光センサの検出結果が前記閾値以上であるか否かを判定する結果判定手段と、
該結果判定手段が否と判定した場合、前記閾値を、前記検出結果に応じた値に変更する閾値変更手段と
を更に備え、
前記受付手段が実行指令を受け付けた場合に、前記切替手段は、前記第１表示制御手段又は前記第２表示制御手段による画像表示に切り替えるようにしてあることを特徴とする請求項４に記載の表示装置。
【請求項６】
前記第１表示制御手段又は前記第２表示制御手段による画像表示の実行指令を受け付ける受付手段を更に備え、
該受付手段が実行指令を受け付けた場合に、前記切替手段は、前記第１表示制御手段又は前記第２表示制御手段による画像表示に切り替えるようにしてあることを特徴とする請求項２から４の何れかひとつに記載の表示装置。
【請求項７】
時計手段と、
前記第２表示制御手段による画像表示に切り替えるべき時刻を記憶する時刻記憶手段と、
前記時計手段が計時した時刻が、前記時刻記憶手段に記憶されている時刻に達したか否かを判定する時刻判定手段と
を更に備え、
該時刻判定手段が達したと判定した場合に、前記切替手段は、前記第２表示制御手段による画像表示に切り替えるようにしてあることを特徴とする請求項２から６の何れかひとつに記載の表示装置。
【請求項８】
前記表示部は、液晶表示パネルを用いてなり、
前記表示部を照明するバックライトを更に備え、
前記第１表示制御手段は、前記バックライトに、前記表示部を第１の明るさで照明させるようにしてあり、
前記第２表示制御手段は、前記バックライトに、前記表示部を前記第１の明るさより暗い第２の明るさで照明させるようにしてあり、
前記第３表示制御手段は、前記バックライトに、前記表示部を前記第２の明るさより暗い第３の明るさで照明させるようにしてあることを特徴とする請求項２から７の何れかひとつに記載の表示装置。
【請求項９】
動画像に高画質化処理を施してから前記表示部へ出力する高画質化部と、
静止画像に低画質化処理を施してから前記表示部へ出力する低画質化部と
を更に備え、
前記第１の画像は動画像であり、前記第２の画像及び第３の画像は静止画像であり、
前記第１表示制御手段は、前記高画質化部をオンして前記低画質化部をオフするようにしてあり、
前記第２表示制御手段は、前記高画質化部及び低画質化部の両方をオフするようにしてあり、
前記第３表示制御手段は、前記高画質化部をオフして前記低画質化部をオンするようにしてあることを特徴とする請求項８に記載の表示装置。
【請求項１０】
表示装置に画像を表示させるコンピュータを作動させるためのコンピュータプログラムであって、
コンピュータに、第１の明るさ及び第１の画質で、前記表示装置に第１の画像を表示させる第１表示制御ステップと、
コンピュータに、前記第１表示制御ステップでの画像表示が実行されない場合に、前記第１の明るさより暗い第２の明るさ及び／又は前記第１の画質より低い第２の画質で、前記表示装置に第２の画像を表示させる第２表示制御ステップと、
コンピュータに、前記第２表示制御ステップでの画像表示が実行された後で、前記第２の明るさより暗い第３の明るさ及び／又は前記第２の画質より低い第３の画質で、前記表示装置に第３の画像を表示させる第３表示制御ステップと
を実行させることを特徴とするコンピュータプログラム。
【発明の詳細な説明】
【技術分野】
【０００１】
本発明は、表示部に動画像又は静止画像を表示させる表示方法、表示装置及びコンピュータプログラムに関する。
【背景技術】
【０００２】
近年、デジタルカメラで撮影した静止画像を表示する電子写真立てが普及している。電子写真立ては、接続されたＵＳＢ（Universal Serial Bus）メモリから複数の静止画像を順次読み出し、これらを一定時間毎に切り替えて表示するものである。
【０００３】
ところで、近年、液晶表示パネルを用いた表示部を備える表示装置は、大型化が進んでいる。また、表示装置は薄型化も進んでおり、壁掛け型又は壁寄せ型の表示装置が使用されている。
このような表示装置が画像表示を停止した場合、表示画面が有する黒色が壁面積を広く占有する。この結果、表示装置を設置する部屋の雰囲気を損ねる虞があり、ユーザに対して違和感を与えるという問題がある。
【０００４】
以上のような不都合を解消するために、ユーザがＴＶ番組又はＤＶＤコンテンツ等を視聴していない場合（以下、未視聴時という）に、表示装置自身に予め記憶されている静止画像、又はＵＳＢメモリから読み出した静止画像を、表示部に順次表示させる技術が提案されている。
【０００５】
ところで、従来、ユーザとの距離に応じて、最適な解像度を有する動画像又は静止画像を表示する表示装置が提案されている（特許文献１参照）。
【特許文献１】特開２０００−２７６１２３号公報
【発明の開示】
【発明が解決しようとする課題】
【０００６】
しかしながら、従来の表示装置は、未視聴時に静止画像を表示すべく、表示装置の各部が動作している。このため、表示装置の省電力化を図ることができないという問題がある。
この問題を解決するために、未視聴時に静止画像を表示する際には、例えば静止画像を高画質化させる回路をオフし、液晶表示パネルのバックライトの輝度を低下させることが考えられる。この場合、十分な省電力化を図ることが可能である。
【０００７】
ところが、この場合、表示される静止画像の画質が低くなり、且つ、表示画面が暗くなるため、表示される静止画像が、ユーザの観賞に堪えないものになる虞がある。
一方、特許文献１には、未視聴時に静止画像を表示する際の省電力化については記載されていない。
【０００８】
本発明は斯かる事情に鑑みてなされたものであり、その主たる目的は、非常に明るく高画質で第１の画像を表示し、第１の画像を表示しない場合に、中程度に明るく中程度の画質で第２の画像を表示し、第２の画像を表示させた後で、暗く低画質で第３の画像を表示することにより、ユーザの観賞に堪えない画像が表示されることを抑制しつつ、省電力化を図ることができる表示方法、表示装置及びコンピュータプログラムを提供することにある。
【課題を解決するための手段】
【０００９】
本発明に係る表示方法は、表示装置に画像を表示させる表示方法において、第１の明るさ及び第１の画質で、前記表示装置に第１の画像を表示させる第１表示制御ステップと、前記第１の画像を表示させない場合に、前記第１の明るさより暗い第２の明るさ及び／又は前記第１の画質より低い第２の画質で、前記表示装置に第２の画像を表示させる第２表示制御ステップと、前記第２の画像を表示させた後で、前記第２の明るさより暗い第３の明るさ及び／又は前記第２の画質より低い第３の画質で、前記表示装置に第３の画像を表示させる第３表示制御ステップとを実行することを特徴とする。
【００１０】
本発明に係る表示装置は、画像を表示する表示部を備える表示装置において、第１の明るさ及び第１の画質で、前記表示部に第１の画像を表示させる第１表示制御手段と、前記第１の明るさより暗い第２の明るさ及び／又は前記第１の画質より低い第２の画質で、前記表示部に第２の画像を表示させる第２表示制御手段と、前記第２の明るさより暗い第３の明るさ及び／又は前記第２の画質より低い第３の画質で、前記表示部に第３の画像を表示させる第３表示制御手段と、前記第１表示制御手段、第２表示制御手段、及び第３表示制御手段夫々による画像表示を切り替える切替手段とを備え、該切替手段は、前記第１表示制御手段による画像表示が実行されない場合に、前記第２表示制御手段による画像表示に切り替え、前記第２表示制御手段による画像表示が実行された後で、前記第３表示制御手段による画像表示に切り替えるようにしてあることを特徴とする。
【００１１】
本発明に係る表示装置は、周辺の状態を示す物理量を検出するセンサと、前記第２表示制御手段による画像表示が実行されている場合に、前記センサの検出結果に基づいて、前記第２の画像の表示を継続するか否かを判定する継続判定手段とを更に備え、前記継続判定手段が否と判定したとき、前記切替手段は、前記第３表示制御手段による画像表示に切り替えるようにしてあることを特徴とする。
【００１２】
本発明に係る表示装置は、前記センサは、周辺の明るさを検出する光センサであり、前記継続判定手段は、前記光センサの検出結果が所定の閾値以下である場合に、否と判定するようにしてあることを特徴とする。
【００１３】
本発明に係る表示装置は、前記第１表示制御手段又は前記第２表示制御手段による画像表示の実行指令を受け付ける受付手段と、前記受付手段が実行指令を受け付けたとき、前記光センサの検出結果が前記閾値以上であるか否かを判定する結果判定手段と、該結果判定手段が否と判定した場合、前記閾値を、前記検出結果に応じた値に変更する閾値変更手段とを更に備え、前記受付手段が実行指令を受け付けた場合に、前記切替手段は、前記第１表示制御手段又は前記第２表示制御手段による画像表示に切り替えるようにしてあることを特徴とする。
【００１４】
本発明に係る表示装置は、前記第１表示制御手段又は前記第２表示制御手段による画像表示の実行指令を受け付ける受付手段を更に備え、該受付手段が実行指令を受け付けた場合に、前記切替手段は、前記第１表示制御手段又は前記第２表示制御手段による画像表示に切り替えるようにしてあることを特徴とする。
【００１５】
本発明に係る表示装置は、時計手段と、前記第２表示制御手段による画像表示に切り替えるべき時刻を記憶する時刻記憶手段と、前記時計手段が計時した時刻が、前記時刻記憶手段に記憶されている時刻に達したか否かを判定する時刻判定手段とを更に備え、該時刻判定手段が達したと判定した場合に、前記切替手段は、前記第２表示制御手段による画像表示に切り替えるようにしてあることを特徴とする。
【００１６】
本発明に係る表示装置は、前記表示部は、液晶表示パネルを用いてなり、前記表示部を照明するバックライトを更に備え、前記第１表示制御手段は、前記バックライトに、前記表示部を第１の明るさで照明させるようにしてあり、前記第２表示制御手段は、前記バックライトに、前記表示部を前記第１の明るさより暗い第２の明るさで照明させるようにしてあり、前記第３表示制御手段は、前記バックライトに、前記表示部を前記第２の明るさより暗い第３の明るさで照明させるようにしてあることを特徴とする。
【００１７】
本発明に係る表示装置は、動画像に高画質化処理を施してから前記表示部へ出力する高画質化部と、静止画像に低画質化処理を施してから前記表示部へ出力する低画質化部とを更に備え、前記第１の画像は動画像であり、前記第２の画像及び第３の画像は静止画像であり、前記第１表示制御手段は、前記高画質化部をオンして前記低画質化部をオフするようにしてあり、前記第２表示制御手段は、前記高画質化部及び低画質化部の両方をオフするようにしてあり、前記第３表示制御手段は、前記高画質化部をオフして前記低画質化部をオンするようにしてあることを特徴とする。
【００１８】
本発明に係るコンピュータプログラムは、表示装置に画像を表示させるコンピュータを作動させるためのコンピュータプログラムであって、コンピュータに、第１の明るさ及び第１の画質で、前記表示装置に第１の画像を表示させる第１表示制御ステップと、コンピュータに、前記第１表示制御ステップでの画像表示が実行されない場合に、前記第１の明るさより暗い第２の明るさ及び／又は前記第１の画質より低い第２の画質で、前記表示装置に第２の画像を表示させる第２表示制御ステップと、コンピュータに、前記第２表示制御ステップでの画像表示が実行された後で、前記第２の明るさより暗い第３の明るさ及び／又は前記第２の画質より低い第３の画質で、前記表示装置に第３の画像を表示させる第３表示制御ステップとを実行させることを特徴とする。
【００１９】
本発明にあっては、表示装置が、画像を表示する表示部と、第１表示制御手段、第２表示制御手段、第３表示制御手段、及び切替手段とを備える。この表示装置は電力で駆動され、例えば、本発明に係る表示方法に基づくコンピュータプログラムに従って作動し、切替手段が第１表示制御手段、第２表示制御手段、及び第３表示制御手段夫々による画像表示を、適宜のタイミングで切り替えることによって、第１表示制御ステップ、第２表示制御ステップ、及び第３表示制御ステップを実行する。
【００２０】
第１表示制御手段は、第１の明るさ及び第１の画質で、表示装置の表示部に第１の画像を表示させる第１表示制御ステップを実行する。このとき消費される電力は、第１の消費電力（高い消費電力）である。
ユーザは、表示装置の近傍に位置し、第１の画像を意図的に注視する。従って、表示部の美観を向上させるべく、例えば画像を高画質化させる高画質化回路がオンされ、表示部自身の輝度、又は液晶表示パネルを用いてなる表示部のバックライトの輝度が向上される。
【００２１】
第１表示制御手段による画像表示が実行されない場合（即ち第１の画像を表示させない場合）に、切替手段は、第２表示制御手段による画像表示に切り替える。このとき、第２表示制御手段は、第１の明るさより暗い第２の明るさ及び／又は第１の画質より低い第２の画質で、表示装置の表示部に第２の画像を表示させる第２表示制御ステップを実行する。このとき消費される電力は、第１の消費電力よりも低い第２の消費電力（中程度の消費電力）である。
第２の画像は、第１の画像と同じでも異なっていてもよい。
【００２２】
表示装置の近傍に位置するユーザは、第２の画像を注視する可能性があるが、注視しないこともある。従って、表示部の美観の向上と省電力化とを両立させるべく、例えば高画質化回路がオフされ、表示部自身の輝度又はバックライトの輝度は変更されない。或いは、高画質化回路がオンされたまま、表示部自身の輝度又はバックライトの輝度が低下される。
【００２３】
第２表示制御手段による画像表示が実行された後（即ち第２の画像を表示させた後）で、切替手段は、第３表示制御手段による画像表示に切り替える。このとき、第３表示制御手段は、第２の明るさより暗い第３の明るさ及び／又は第２の画質より低い第３の画質で、表示装置の表示部に第３の画像を表示させる第３表示制御ステップを実行する。このとき消費される電力は、第２の消費電力よりも低い第３の消費電力（低い消費電力）である。
第３の画像は、第２の画像と同じであっても異なっていてもよい。
【００２４】
表示装置から離隔した位置に存在するユーザは、第３の画像を滅多に注視しない。たとえ注視したとしても、表示装置から離隔した位置に存在するユーザには、表示されている画像の画質の良し悪しは判別し難い。従って、表示部の美観の向上よりも省電力化を優先させるべく、例えば高画質化回路がオフされ、表示部自身の輝度又はバックライトの輝度が低下される。
【００２５】
本発明にあっては、センサと継続判定手段とを更に備える。
センサは、周辺の状態を示す物理量を検出する。
継続判定手段は、第２表示制御手段による画像表示が実行されている場合に、センサの検出結果に基づいて、第２の画像の表示を継続するか否かを判定する。
第２表示制御手段による画像表示が実行されている場合に、継続判定手段が否と判定したとき、切替手段は、第３表示制御手段による画像表示に切り替える。
センサが検出する物理量としては、表示装置の近傍にユーザが存在するか否かを判定するための指標となるものが望ましい。
【００２６】
つまり、第２の画像が表示されている場合に、センサの検出結果に基づいて、表示装置の近傍にユーザが存在するか否かを判定する。表示装置の近傍にユーザが存在しないときは、ユーザが画像を注視する可能性が非常に低く、たとえ注視したとしても、表示されている画像の画質の良し悪しは判別し難いと考えられる。このため、表示装置の近傍にユーザが存在しないときは、第２の画像の表示を継続せず、第３の画像が表示されるようにする。
以上の結果、十分な省電力を図ることができる。
一方、表示装置の近傍にユーザが存在するときは、ユーザが画像を注視する可能性がある。このため、第２の画像の表示が継続される。
【００２７】
本発明にあっては、光センサが、周辺の明るさを検出する。
継続判定手段は、光センサの検出結果が所定の閾値以下である場合（即ち表示装置の周辺が暗い場合）に、否と判定する。一方、光センサの検出結果が所定の閾値を超過している場合（即ち表示装置の周辺が明るい場合）、継続判定手段は、第２の画像の表示を継続すると判定する。
表示装置の周辺が明るい場合、表示装置の近傍にユーザが存在する可能性があり、表示装置の周辺が暗い場合、表示装置の近傍にユーザが存在する可能性は非常に低い。
【００２８】
つまり、第２の画像が表示されている場合に、表示装置の周辺が暗いときは、ユーザが画像を注視する可能性が非常に低く、たとえ注視したとしても、表示されている画像の画質の良し悪しは判別し難いと考えられる。このため、表示装置の周辺が暗いときは、第２の画像の表示を継続せず、第３の画像が表示されるようにする。
以上の結果、十分な省電力を図ることができる。
一方、表示装置の周辺が明るいときは、ユーザが画像を注視する可能性がある。このため、第２の画像の表示が継続される。
【００２９】
本発明にあっては、受付手段、結果判定手段、及び閾値変更手段を更に備える。
受付手段は、第１表示制御手段による画像表示の実行指令（即ち、第１の画像を表示させる指令）か、又は、第２表示制御手段による画像表示の実行指令（即ち、第２の画像を表示させる指令）を受け付ける。受付手段が、第１表示制御手段による画像表示の実行指令を受け付けた場合、切替手段は、第１表示制御手段による画像表示に切り替える。一方、受付手段が、第２表示制御手段による画像表示の実行指令を受け付けた場合、切替手段は、第２表示制御手段による画像表示に切り替える。
【００３０】
このため、第２の画像又は第３の画像が表示されている場合に、例えばユーザが表示装置のリモートコントローラを操作することによって、第１の画像を手動で表示させることができる。或いは、第１の画像又は第３の画像が表示されている場合に、例えばユーザが表示装置のリモートコントローラを操作することによって、第２の画像を手動で表示させることができる。
【００３１】
ところで、結果判定手段は、受付手段が実行指令を受け付けたとき、光センサの検出結果が所定の閾値以上であるか否かを判定する。
結果判定手段が否と判定した場合（即ち、第１の画像又は第２の画像を表示させる指令を受け付け、しかも、光センサの検出結果が所定の閾値未満である場合）とは、表示装置の周辺が暗いにも関わらず、表示装置の近傍にユーザが存在する場合である。つまり、このユーザは、表示装置の周辺が暗くても、表示装置の近傍で画像を注視する可能性がある、と考えられる。
このため、閾値変更手段は、所定の閾値を、光センサの検出結果に応じた値に変更する。
【００３２】
従って、閾値変更以後は、表示装置の周辺が、閾値変更以前よりも更に暗いときに、第２の画像から第３の画像に切り替えられる。
一方、表示装置の周辺が、変更後の所定の閾値よりも明るいときは、第２の画像の表示が継続される。
以上の結果、ユーザの利便性を向上させつつ、十分な省電力を図ることができる。
【００３３】
本発明にあっては、受付手段を更に備える。
受付手段は、第１表示制御手段による画像表示の実行指令（即ち、第１の画像を表示させる指令）か、又は、第２表示制御手段による画像表示の実行指令（即ち、第２の画像を表示させる指令）を受け付ける。受付手段が、第１表示制御手段による画像表示の実行指令を受け付けた場合、切替手段は、第１表示制御手段による画像表示に切り替える。一方、受付手段が、第２表示制御手段による画像表示の実行指令を受け付けた場合、切替手段は、第２表示制御手段による画像表示に切り替える。
【００３４】
このため、第２の画像又は第３の画像が表示されている場合に、例えばユーザが表示装置のリモートコントローラを操作することによって、第１の画像を手動で表示させることができる。或いは、第１の画像又は第３の画像が表示されている場合に、例えばユーザが表示装置のリモートコントローラを操作することによって、第２の画像を手動で表示させることができる。
【００３５】
本発明にあっては、時計手段、時刻記憶手段、及び時刻判定手段を更に備える。
時計手段は時刻を計時する。
時刻記憶手段は、第２表示制御手段による画像表示に切り替えるべき時刻（即ち、第２の画像を表示させるべき時刻）を記憶し、時刻判定手段は、時計手段が計時した時刻が、時刻記憶手段に記憶されている時刻に達したか否かを判定する。
【００３６】
時刻記憶手段に記憶されている時刻とは、例えば、ユーザが予め設定した時刻、又は、以前にユーザが第２の画像の表示を所望した時刻等である。
このため、時刻判定手段が達したと判定した場合に、切替手段は、第２表示制御手段による画像表示に切り替える。
以上の結果、第１の画像又は第３の画像が表示されている場合に、ユーザが第２の画像の表示を所望する時刻、又は所望する可能性がある時刻に、第２の画像を自動的に表示させることができる。
【００３７】
本発明にあっては、液晶表示パネルを用いてなる表示部を照明するバックライトを更に備える。
第１表示制御手段は、表示部に第１の画像を表示させ、バックライトに第１の明るさで照明させる。このとき消費される電力は、第１の消費電力である。バックライトが最も明るく照明するため、表示部に表示される第１の画像は非常に見易い。
第２表示制御手段は、表示部に第２の画像を表示させ、バックライトに第２の明るさで照明させる。このとき消費される電力は、第２の消費電力である。バックライトが中程度に明るく照明するため、表示部に表示される第２の画像は適度に見易い。
【００３８】
第３表示制御手段は、表示部に第３の画像を表示させ、バックライトに第３の明るさで照明させる。このとき消費される電力は、第３の消費電力である。バックライトが最も暗く照明するため、表示部に表示される第３の画像は、比較的見難い。
つまり、バックライトの明るさを３段階に増減することによって、消費電力を３段階に増減し、且つ、表示部に表示される画像の見易さを３段階に調整することができる。
【００３９】
本発明にあっては、高画質化部（例えばＦＲＣ回路）と低画質化部（例えば低解像度化回路）とを更に備える。
第１表示制御手段は、第１の画像である動画像を表示部に表示させる。低画質化部はオフされるが、高画質化部がオンされるため、このとき消費される電力は、第１の消費電力である。動画像が高画質化されるため、表示部に表示される第１の画像は非常に見易い。
第２表示制御手段は、第２の画像である静止画像を表示部に表示させる。高画質化部及び低画質化部が両方ともオフされるため、このとき消費される電力は、第２の消費電力である。静止画像は高画質化されないが、低画質化もされないため、表示部に表示される第２の画像は適度に見易い。
【００４０】
第３表示制御手段は、第３の画像である静止画像を表示部に表示させる。低画質化部はオンされるが、高画質化部がオフされ、且つ、静止画像が低画質化される分、バックライトが静止画像を照明する明るさを更に低減することができる。このため、このとき消費される電力は、第３の消費電力である。静止画像が低画質化されるため、表示部に表示される第３の画像は、比較的見難い。
つまり、画質を３段階に増減することによって、消費電力を３段階に増減し、且つ、表示部に表示される画像の見易さを３段階に調整することができる。
【００４１】
本発明にあっては、本発明の表示装置が備える各種手段を、コンピュータのハードウェア要素を用いてソフトウェア的に実現させ、このコンピュータを備える表示装置を、本発明の表示方法で用いられる表示装置として機能させる。
【発明の効果】
【００４２】
本発明の表示方法及び本発明の表示装置による場合、表示部に表示されている画像をユーザが注視する可能性が非常に高いときに、表示部の美観を非常に向上させることができる。また、表示部に表示されている画像をユーザが注視する可能性があるときに、表示部の美観を向上させつつ、適度な省電力化を図ることができる。更に、表示部に表示されている画像をユーザが注視する可能性が非常に低いときに、十分な省電力化を図ることができる。
以上の結果、ユーザが画像を注視する可能性の高低に応じて、ユーザの観賞に堪えない画像が表示されることを抑制しつつ、省電力化を図ることができる。
【００４３】
本発明のコンピュータプログラムによる場合、例えば従来の表示装置を、本発明の表示方法で用いられる表示装置（即ち本発明の表示装置）として機能させることができる。従って、本発明の表示装置を製造して工場出荷する構成のみならず、既に工場出荷された表示装置を本発明の表示装置となすことができる。
【発明を実施するための最良の形態】
【００４４】
以下、本発明を、その実施の形態を示す図面に基づいて詳述する。
図１は、本発明の実施の形態に係る表示装置２を含む表示システムの概要を示す模式図である。
まず、本実施の形態の表示システムのハードウェア構成を説明する。
図に示す表示システムは、画像送信装置１、表示装置２、リモートコントローラ（リモコン）３、通信線４、及び、可搬型記録媒体６を含む。
【００４５】
画像送信装置１は、屋内の壁５に突設されたラック５１上に載置されている。画像送信装置１はチューナであり、地上デジタル放送、デジタル衛星放送、又はアナログ放送に係るＴＶ放送信号を受信する。画像送信装置１は、受信したＴＶ放送信号に適宜の信号処理を施して映像信号を生成し、生成した映像信号を表示装置２へ送信する。ここで、映像信号とは、互いに同期している動画像データと音声データと後述する点滅データとを含むものである。
【００４６】
画像送信装置１の筐体の正面部には、１個の表示窓に対応して赤色のＬＥＤ及び青色のＬＥＤが配されている。赤色のＬＥＤは、画像送信装置１がスタンバイ状態にある場合に点灯し、オン状態である場合に消灯する。逆に、青色のＬＥＤは、画像送信装置１がスタンバイ状態にある場合に消灯し、オン状態である場合に点灯する。画像送信装置１がオフ状態にある場合、両方のＬＥＤが消灯する。つまり、表示窓が青く光っている場合、画像送信装置１はオン状態であり、赤く光っている場合はスタンバイ状態であり、表示窓が光っていない場合はオフ状態である。
【００４７】
なお、画像送信装置１は、少なくとも動画像データ又は静止画像データを表示装置２へ送信する装置であればよい。このため、画像送信装置１はチューナに限定されず、例えばＩＰネットワークを介して外部のサーバコンピュータから配信される映像信号を受信する受信装置であってもよく、内蔵のハードディスクに対して映像信号を記録及び再生するレコーダであってもよい。又は、画像送信装置１は、ＤＶＤ又はブルーレイ規格に基づくブルーレイディスク等の可搬型記録媒体に対して映像信号を記録及び再生するレコーダであってもよい。
また、画像送信装置１は、壁５に突設されたラック５１上に載置される構成に限定されず、例えば床に設置されたラック上に載置される構成でもよく、壁５の凹部に埋設される構成でもよい。
【００４８】
表示装置２は壁掛け型の液晶ディスプレイであり、ボルト又は釘等を用いて、壁５に取り付けられている。表示装置２は、液晶表示パネルを用いてなる表示部２０を備え、表示部２０の表示画面が、表示装置２の筐体２００の正面中央部に配されている。また、筐体２００の側面部には、メモリスロット２７が配されている。メモリスロット２７は、ＵＳＢメモリが着脱可能に接続されるＵＳＢスロットである。表示装置２では、メモリスロット２７に接続されたＵＳＢメモリから、このＵＳＢメモリに記録されているデータが読み出される。筐体２００の正面周縁部には、表示装置２がオン状態にある場合に点灯し、スタンバイ状態か、又はオフ状態にある場合に消灯するＬＥＤが配されている。
【００４９】
本実施の形態では、表示装置２がオン状態にある場合とは、表示装置２が後述する視聴モードである場合を意味し、表示装置２がスタンバイ状態にある場合とは、表示装置２が後述するギャラリーモード及びインテリアモードの何れかである場合を意味する。
視聴モードでは、表示部２０に動画像が表示され、ギャラリーモード及びインテリアモード夫々では、表示部２０に静止画像が表示される。各モードの詳細については後述する。表示装置２がオフ状態にある場合には、表示装置２は作動せず、表示部２０には何も表示されない。
【００５０】
なお、表示装置２は、液晶ディスプレイに限定されず、有機ＥＬディスプレイ、又はプラズマディスプレイ等であってもよい。
また、表示装置２は、壁掛け型に限定されず、例えば壁寄せ型でもよく、表示部２０の表示画面を露出させて壁５の凹部に埋設されるタイプでもよい。
更に、メモリスロット２７は、ＵＳＢメモリが着脱可能に接続される構成に限定されず、ＳＤ（登録商標）カード、メモリーカード、又はハードディスク等が着脱可能に接続される構成でもよい。
【００５１】
更にまた、筐体２００の正面周縁部に、互いに発光色が異なる２個のＬＥＤが配され、表示装置２がオン状態にあれば緑色のＬＥＤが点灯し、スタンバイ状態にあれば赤色のＬＥＤが点灯し、オフ状態にあれば全てのＬＥＤが消灯する構成でもよい。また、同じスタンバイ状態でも、ギャラリーモードとインテリアモードとで、発光するＬＥＤの色又は輝度等が変化する構成でもよい。
【００５２】
画像送信装置１と表示装置２とは、通信線４を用いて接続されている。通信線４は、ＨＤＭＩ（High-Definition Multimedia Interface：登録商標）規格に基づくＨＤＭＩケーブルであり、通信線４を介して、映像信号及び各種制御信号が送受信される。
なお、通信線４は、ＨＤＭＩケーブルに限定されず、他の規格に基づくケーブルであってもよい。
また、画像送信装置１と表示装置２とが無線で接続される構成でもよい。この場合、例えば６０ＧＨｚ帯のミリ波を利用した無線通信によって、映像信号及び各種制御信号が送受信される。
【００５３】
リモコン３は、Ｂｌｕｅｔｏｏｔｈ（登録商標）方式で、画像送信装置１及び表示装置２を遠隔操作するための装置であり、筐体の一面に、電源キー３３１及びギャラリーキー３３２を含む各種の操作キーが設けられている。
なお、リモコン３は、Ｂｌｕｅｔｏｏｔｈ方式の遠隔操作装置に限定されず、赤外線方式、又はＲＦ方式による遠隔操作装置であってもよい。また、画像送信装置１及び表示装置２に対して個別のリモコンが用いられる構成でもよい。
【００５４】
可搬型記録媒体６はＵＳＢメモリであり、メモリスロット２７を介して表示装置２に接続される。
なお、可搬型記録媒体６は、表示装置２が備えるメモリスロット２７の規格に対応するものであれば、ＵＳＢメモリに限定されるものではない。
【００５５】
次に、画像送信装置１、表示装置２、及びリモコン３夫々のハードウェア構成を更に詳細に説明する。
図２、図３、及び図４は、画像送信装置１、表示装置２、及びリモコン３の要部構成を示すブロック図である。
図２及び図３に示すように、通信線４は、ＨＤＭＩ線４１及びＣＥＣ線４２を備えている。映像信号はＨＤＭＩ線４１を介して送受信され、各種制御信号はＣＥＣ線４２を介して送受信される。
【００５６】
図３に示すように、可搬型記録媒体６には、ギャラリーモード及びインテリアモードの両方で表示部２０に表示させるべき静止画像の静止画像データが記録されている。ユーザは、例えばデジタルカメラで撮影した風景の静止画像データを可搬型記録媒体６に記録させてから、可搬型記録媒体６をメモリスロット２７に接続させる。
ここで、静止画像データは、例えばＪＰＥＧ形式又はＢＭＰ形式等の画像データである。
【００５７】
図２に示すように、画像送信装置１は、第１制御部１１、操作部１３、記憶部１５、受信部１６、時計部１８、放送受信部１９０、信号処理部１９１、及びＨＤＭＩ信号送信部１９２等を備え、これらがバス１１１及び各種信号線等を用いて相互に接続されてなる。
【００５８】
記憶部１５は、ＲＯＭ及びＲＡＭ等を用いてなり、制御プログラム１Ｐ及び制御プログラム１Ｐを実行するために必要なデータ等が記憶されている。
第１制御部１１は、マイクロプロセッサ及びキャッシュメモリ等を用いてなる。第１制御部１１は、画像送信装置１の制御中枢であり、記憶部１５のＲＡＭを作業領域として用い、記憶部１５のＲＯＭに記憶された制御プログラム１Ｐ及びデータに従って装置各部を制御し、本実施の形態に係る種々のソフトウェア的機能を実行する。
【００５９】
操作部１３は、画像送信装置１の筐体前面に設けられた操作ボタンを備えており、ユーザによって操作された操作ボタンに対応する操作信号を第１制御部１１へ出力する。
受信部１６は、Ｂｌｕｅｔｏｏｔｈ規格のトランシーバであり、リモコン３が送信した操作信号を受信する。受信部１６が受信した操作信号は、第１制御部１１へ出力される。操作信号が入力された第１制御部１１は、入力された操作信号に応じた各種処理を実行する。
時計部１８は、例えば現在時刻を示す日時情報を第１制御部１１へ出力する。
【００６０】
放送受信部１９０はＴＶ放送信号を受信する。以下では、デジタル放送に係るＴＶ放送信号を放送受信部１９０が受信する場合を例示する。この場合、放送受信部１９０は、ＭＰＥＧ２又はＭＰＥＧ４等のプロトコルに従って放送されるデータストリームとしてのＴＶ放送信号を受信する。
放送受信部１９０は、受信したＴＶ放送信号に対して復調処理及び復号処理等の各種信号処理を施すことによって映像信号を生成し、生成した映像信号を、信号処理部１９１へ出力する。
【００６１】
信号処理部１９１は、入力された映像信号に含まれる動画像データに対して画像処理を施す。このために、信号処理部１９１は、動画像データのＲＧＢ各色を補正する補正回路、及び、動画像データのフォーマットを、表示装置２の表示部２０で表示することが可能な画素数に変換するスケーラ等を内部に含む。信号処理部１９１にて画像処理が行なわれた映像信号は、ＨＤＭＩ信号送信部１９２へ出力される。
ＨＤＭＩ信号送信部１９２は、入力された映像信号を、表示装置２のＨＤＭＩ信号受信部２９２へ、ＨＤＭＩ線４１を介して送信する。
【００６２】
図３に示すように、表示装置２は、表示部２０、第２制御部２１、バックライト２２、操作部２３、光センサ２４、記憶部２５、受信部２６、メモリスロット２７、時計部２８、信号処理部２９０、データ分離部２９１、ＨＤＭＩ信号受信部２９２、スピーカ２９３、及び画像処理部２９４を備え、これらがバス２１１及び各種信号線等を用いて相互に接続されてなる。
【００６３】
記憶部２５は、ＲＯＭ、ＲＡＭ、ＥＥＰＲＯＭ及びハードディスク等を用いてなり、制御プログラム２Ｐ及び制御プログラム２Ｐを実行するために必要なデータ等が記憶されている。
また、記憶部２５には、静止画像データが記憶されている。この静止画像データは、例えばスキャナで読み取った絵画の静止画像データであり、工場出荷時に記憶部２５に書き込まれたものである。
【００６４】
更に、記憶部２５は、時刻記憶手段として機能する。このために、記憶部２５には、視聴モード又はインテリアモードからギャラリーモードへ移行すべき時刻（以下、移行時刻という）が記憶される。移行時刻は、予め記憶部２５に記憶されておらず、後述するようなユーザの操作に応じて、記憶部２５に書き込まれる。
【００６５】
更にまた、記憶部２５には、光量閾値が記憶されている。光量閾値は、後述するように、光センサ２４の光量検出値と比較するためのものである。デフォルトの光量閾値は工場出荷時に記憶部２５に書き込まれるが、後述するように、第２制御部２１が記憶部２５に書き込むこともある。光センサ２４の光量検出値と比較する場合、デフォルトの光量閾値よりも優先的に、第２制御部２１が書き込んだ光量閾値が参照される。
【００６６】
第２制御部２１は、マイクロプロセッサ及びキャッシュメモリ等を用いてなる。第２制御部２１は、表示装置２の制御中枢であり、記憶部２５のＲＡＭを作業領域として用い、記憶部２５のＲＯＭ又はＥＥＰＲＯＭに記憶された制御プログラム２Ｐ及びデータに従って装置各部を制御し、本実施の形態に係る種々のソフトウェア的機能を実行する。制御プログラム２Ｐには、本発明のコンピュータプログラムが含まれている。この制御プログラム２Ｐは、工場出荷時に記憶部２５のＲＯＭにインストールされてもよく、工場出荷後に、記憶部２５のＥＥＰＲＯＭにダウンロードされてもよい。
【００６７】
表示部２０は、液晶表示モジュールであり、入力された動画像データに基づく動画像を表示するか、又は、入力された静止画像データに基づく静止画像を表示する。何も表示されていない表示部２０の表示画面は、黒く見える。
バックライト２２は、ＬＥＤバックライトであり、表示部２０の液晶表示パネルを背面側から照明すべく、複数個のＬＥＤがマトリクス状に配置されてなる。バックライト２２が備える各ＬＥＤの点灯及び消灯は、バックライト２２に入力される点滅データに基づいて実行される。なお、バックライト２２は、ＬＥＤバックライトに限定されず、例えば冷陰極管を用いたバックライトでもよい。
【００６８】
操作部２３は、表示装置２の筐体２００の側面部に設けられた操作ボタンを備えており、ユーザによって操作された操作ボタンに対応する操作信号を第２制御部２１へ出力する。操作信号が入力された第２制御部２１は、入力された操作信号に応じた各種処理を実行する。
光センサ２４は、表示装置２の周辺の明るさを検出し、検出結果である光量検出値を第２制御部２１へ出力する。このために、光センサ２４は受光素子を備えており、光量検出値の大小は、受光素子が受光した光量の多寡に対応する。光量検出値が大きい場合、表示装置２の周辺は明るく、小さい場合は暗い。
【００６９】
受信部２６は、Ｂｌｕｅｔｏｏｔｈ規格のトランシーバであり、リモコン３が送信した操作信号を受信する。受信部２６が受信した操作信号は、第２制御部２１へ出力される。
メモリスロット２７に可搬型記録媒体６が接続された場合、第２制御部２１は、可搬型記録媒体６に記録されている静止画像データを読み出す。なお、読み出された静止画像データが、記憶部２５に書き込まれる構成でもよい。
時計部２８は時計手段として機能し、例えば現在時刻を示す日時情報を第２制御部２１へ出力する。
【００７０】
ＨＤＭＩ信号受信部２９２は、ＨＤＭＩ線４１を介して映像信号を受信し、受信した映像信号を、信号処理部２９０へ出力する。
信号処理部２９０は、入力された映像信号を、動画像データ及び点滅データを含む表示データと、音声データとに分離する。次いで、信号処理部２９０は、分離後の表示データをデータ分離部２９１へ出力し、分離後の音声データをスピーカ２９３へ出力する。
スピーカ２９３は、入力された音声データに応じた音声を出力する。
【００７１】
データ分離部２９１は、入力された表示データを、動画像データと点滅データとに分離する。次いで、データ分離部２９１は、分離後の動画像データを画像処理部２９４へ出力し、分離後の点滅データをバックライト２２へ出力する。
信号処理部２９０には、ＨＤＭＩ信号受信部２９２が受信した映像信号のみならず、記憶部２５から読み出された静止画像データ、又は、可搬型記録媒体６から読み出された静止画像データが入力されることもある。信号処理部２９０は、入力された静止画像データをデータ分離部２９１へ出力し、データ分離部２９１は、入力された静止画像データを画像処理部２９４へ出力する。
【００７２】
画像処理部２９４は、入力された動画像データ又は静止画像データに適宜の画像処理を施す。このために、画像処理部２９４には、高画質化部として機能する高画質化回路２ａと、低画質化部として機能する低解像度化回路２ｂとが含まれている。高画質化回路２ａは、例えばＦＲＣ回路であり、動画像データのフレームレートを変更することによって、動画像データを高画質化する。一方、低解像度化回路２ｂは、静止画像データのサイズを変更することなく、静止画像データの適宜の画素を間引くことによって、静止画像データを低解像度化する。高画質化回路２ａ及び低解像度化回路２ｂ夫々のオン／オフは、信号処理部２９０が制御する。
【００７３】
ここで、高画質化回路２ａのオン（オフ）とは、画像データが入力された高画質化回路２ａにおける高画質化処理を実行させる（実行させない）ことである。同様に、低解像度化回路２ｂのオン（オフ）とは、画像データが入力された低解像度化回路２ｂにおける低解像度化処理を実行させる（実行させない）ことである。各種画像処理が実行されなければ、画像処理部２９４の消費電力は低減される。なお、高画質化処理（低解像度化処理）を実行させない場合には、画像データが高画質化回路２ａ（低解像度化回路２ｂ）を迂回する構成でもよい。
【００７４】
視聴モードの場合、高画質化回路２ａはオンされ、低解像度化回路２ｂはオフされる。このとき、動画像データは、高画質化回路２ａで高画質化されるが、低解像度化回路２ｂで低解像度化されることはない。この結果、画像処理部２９４を通過した動画像データに基づく動画像は、高い画質を有する。
ギャラリーモードの場合、高画質化回路２ａ及び低解像度化回路２ｂの両方がオフされる。このとき、静止画像データは、高画質化回路２ａで高画質化されることも、低解像度化回路２ｂで低解像度化されることもない。この結果、画像処理部２９４を通過した静止画像データに基づく静止画像は、中程度の画質を有する。
【００７５】
インテリアモードの場合、高画質化回路２ａはオフされ、低解像度化回路２ｂはオンされる。このとき、静止画像データは、高画質化回路２ａで高画質化されることはないが、低解像度化回路２ｂで低解像度化される。この結果、画像処理部２９４を通過した静止画像データに基づく静止画像は、低い画質を有する。
【００７６】
ところで、信号処理部２９０は、第２制御部２１に制御されて、表示部２０の表示制御とバックライト２２の明るさ制御と画像処理部２９４の画像処理制御とを行なう。
バックライト２２の明るさ制御として、信号処理部２９０は、具体的にはバックライト２２のＰＷＭ制御を行なう。ＰＷＭ制御では、ＬＥＤに入力すべきパルス幅を変化させることによってＬＥＤの輝度調整を行なう。バックライト２２には、ＬＥＤの輝度調整に関する情報として、パルス幅に関する情報が入力される。なお、信号処理部２９０は、ＬＥＤに通電すべき電流値を変化させることによって、ＬＥＤの輝度調整を行なってもよい。
【００７７】
視聴モードの場合、バックライト２２の各ＬＥＤの点灯／消灯及び輝度調整は、映像信号に含まれる点滅データに従って実行される。この結果、バックライト２２は、全体として高い輝度で表示部２０を照明する。
ギャラリーモードの場合、バックライト２２の各ＬＥＤは原則として点灯するが、輝度は、視聴モードにおける平均的な輝度よりも低めに調整される。この結果、バックライト２２は、全体として中程度の輝度で表示部２０を照明する。
インテリアモードの場合、バックライト２２のＬＥＤは、画像処理部２９４で間引かれた画素に応じて、一部が消灯し、残部がギャラリーモードにおける輝度以下の輝度で点灯する。この結果、バックライト２２は、全体として低い輝度で表示部２０を照明する。
【００７８】
画像送信装置１の第１制御部１１と表示装置２の第２制御部２１とは、通信線４のＣＥＣ線４２を介して接続されており、ＨＤＭＩ規格に基づいて、各種制御信号の送受信を行なう。
リモコン３から送信された操作信号の内、画像送信装置１を操作するための操作信号を表示装置２の受信部２６が受信した場合、この操作信号に対応する制御信号が、表示装置２の第２制御部２１から画像送信装置１の第１制御部１１へＣＥＣ線４２を介して送信される。逆に、表示装置２を操作するための操作信号を画像送信装置１の受信部１６が受信した場合、この操作信号に対応する制御信号が、画像送信装置１の第１制御部１１から表示装置２の第２制御部２１へＣＥＣ線４２を介して送信される。
【００７９】
制御信号を受信した第１制御部１１は、受信した制御信号に応じた各種処理を実行する。同様に、制御信号を受信した第２制御部２１は、受信した制御信号に応じた各種処理を実行する。
以下では、表示装置２の受信部２６が操作信号を受信して第２制御部２１へ出力する場合を例示し、表示装置２を操作するための操作信号に対応する制御信号を、第２制御部２１が第１制御部１１から受信する場合についての説明は省略する。
【００８０】
図４に示すように、リモコン３は、第３制御部３１、操作部３３、記憶部３５、及び送信部３６を備え、これらがバス３１１及び各種信号線等を用いて相互に接続されてなる。
記憶部３５は、ＲＯＭ及びＲＡＭ等を用いてなり、制御プログラム及びこの制御プログラムを実行するために必要なデータ等が記憶されている。
第３制御部３１は、マイクロプロセッサ及びキャッシュメモリ等を用いてなる。第３制御部３１は、リモコン３の制御中枢であり、記憶部３５のＲＡＭを作業領域として用い、記憶部３５のＲＯＭに記憶された制御プログラム及びデータに従って装置各部を制御し、本実施の形態に係る種々のソフトウェア的機能を実行する。
【００８１】
操作部３３は、リモコン３の筐体に設けられた電源キー３３１及びギャラリーキー３３２等の操作キーを備えている。送信部３６は、Ｂｌｕｅｔｏｏｔｈ規格のトランシーバである。操作部３３の操作キーが操作された場合、操作された操作キーに対応する操作信号が、送信部３６から送信される。
【００８２】
電源キー３３１は、表示装置２がスタンバイ状態にある場合に、表示装置２をオンするためのものである。また、電源キー３３１は、表示装置２がオン状態にある場合に、表示装置２をスタンバイ状態にするためのものである。換言すれば、電源キー３３１は、ギャラリーモード又はインテリアモードの表示装置２を視聴モードへ移行させ、視聴モードの表示装置２をギャラリーモードへ移行させるためのものである。
【００８３】
ギャラリーキー３３２は、視聴モード又はインテリアモードの表示装置２を、ギャラリーモードへ移行させるためのものである。
電源キー３３１が操作された場合は、操作信号として、電源信号が送信され、ギャラリーキー３３２が操作された場合は、操作信号として、ギャラリー信号が送信される。
表示装置２を視聴モードへ移行させるための電源信号は、第１表示制御手段による画像表示の実行指令として機能し、表示装置２をギャラリーモードへ移行させるための電源信号、及びギャラリー信号は、第２表示制御手段による画像表示の実行指令として夫々機能する。
【００８４】
なお、電源信号及びギャラリー信号を出力する操作ボタンが、画像送信装置１の操作部１３又は表示装置２の操作部２３に設けられていてもよい。
ところで、表示システムには、視聴モード又はギャラリーモードの表示装置２をインテリアモードへ移行させるための操作キー及び操作ボタンは設けられていない。つまり、視聴モード及びギャラリーモードへはユーザが手動で移行させることができるが、インテリアモードへはユーザが手動で移行させることはできない。何故ならば、インテリアモードはユーザが表示装置２の近傍に存在していない場合に移行すべきモードだからである。
【００８５】
ここで、視聴モード、ギャラリーモード、及びインテリアモードについて詳述する。
視聴モードでは、画像送信装置１から表示装置２へ映像信号が送信される。表示装置２では、受信した映像信号に基づく高い画質の動画像が表示部２０に表示され、この動画像に同期して、バックライト２２が表示部２０を非常に明るく照明し、且つ、スピーカ２９３から音声が出力される。従って、視聴モードの消費電力は高い。
【００８６】
つまり、視聴モードとは、表示部２０に、ＴＶ番組の動画像（第１の画像）が、視聴に最適な画質及び高い輝度で表示され、スピーカ２９３から音声が出力されるモードである。視聴モードでは、表示装置２は通常のテレビジョン装置と同様に、動画像及び音声の視聴に使用される。
なお、視聴モードで静止画像が表示されてもよい。この場合、画像処理部２９４が静止画像用の高画質化回路を備え、表示すべき静止画像の静止画像データを高画質化してもよい。視聴モードで表示される静止画像は、ギャラリーモード又はインテリアモードで表示される静止画像と同じでもよいが、異なっていてもよい。例えば、ＴＶ番組の番組表、又は表示装置２の設定状況等を示す静止画像等が、表示部２０に表示される。
【００８７】
視聴モードへの移行は、ユーザが動画像を視聴する場合に行なわれる。本実施の形態の表示装置２は、ギャラリーモード又はインテリアモードにあって、リモコン３の電源キー３３１が操作された場合に、視聴モードへ移行する。
なお、例えばユーザが視聴開始時刻を予約し、予約された視聴開始時刻に達した場合に、表示装置２が視聴モードへ移行する構成でもよい。
また、視聴モードへ移行する場合に、認証を求めてもよい。
ところで、オフ状態の表示装置２がオンされたときは、視聴モードで作動する。以下では、表示装置２のオン／オフの遷移についての説明は省略する。
【００８８】
ギャラリーモードでは、画像送信装置１から表示装置２へ映像信号が出力されない。表示装置２では、メモリスロット２７に可搬型記録媒体６が接続されている場合は、可搬型記録媒体６から静止画像データが読み出され、接続されていない場合は、記憶部２５から静止画像データが読み出される。このとき、表示装置２では、読み出された静止画像データに基づく中程度の画質の静止画像が表示部２０に表示されると共に、バックライト２２が表示部２０を適度に明るく照明し、音声は出力されない。従って、ギャラリーモードの消費電力は中程度である。
【００８９】
つまり、ギャラリーモードとは、表示部２０に、風景又は絵画の静止画像（第２の画像）が、近距離での観賞に適した画質及び中程度の輝度で表示されるモードである。ギャラリーモードでは、表示装置２は、画廊に展示されている絵画と同様に、静止画像の観賞に使用される。
このような静止画像を表示する機能は、いわゆるウォールピクチャー機能に相当する。
【００９０】
なお、ギャラリーモードでは、複数種類の静止画像が一定時間ごとに切り替えて表示されてもよい。また、ギャラリーモードで動画像が表示されてもよい。この場合、ギャラリーモードであっても高画質化回路２ａをオンして動画像データを高画質化してもよい。ギャラリーモードで表示される動画像は、視聴モードで表示される動画像と同じでも異なっていてもよい。
【００９１】
ギャラリーモードへの移行は、ユーザが動画像及び音声を視聴せず、しかも、ユーザが表示装置２の近傍に存在している場合に行なわれる。
動画像及び音声を積極的に視聴しない場合でも、表示装置２の近傍に存在するユーザは、表示部２０を間近で視認することが多々あると考えられる。このとき、表示部２０に風景又は絵画等の静止画像が適当な画質で表示されていれば、表示部２０の美観が向上され、壁５に表示装置２が取り付けられていることに起因する違和感を低減することができる。
【００９２】
ところで、ギャラリーモードの静止画像は、近距離での鑑賞に適した画質及び輝度を有していればよい。このため、ギャラリーモードに係る画質及び輝度は、視聴モードに係る画質及び輝度よりも低く設定してあっても問題はない。しかも、画質及び輝度を低くすることによって、消費電力を、視聴モードの消費電力よりも低くすることができる。
【００９３】
本実施の形態の表示装置２は、視聴モードにあって、リモコン３の電源キー３３１が操作された場合に、ギャラリーモードへ移行する。これは、ユーザが動画像及び音声の視聴を終える場合である。
また、表示装置２は、視聴モード又はインテリアモードにあって、リモコン３のギャラリーキー３３２が操作された場合に、ギャラリーモードへ移行する。これは、ユーザがギャラリーモードへの移行を積極的に所望している場合である。
【００９４】
更に、表示装置２は、視聴モード又はインテリアモードにあって、現在時刻（即ち現時点で時計部２８が計時した時刻）が、記憶部２５に記憶されている移行時刻に達した場合に、ギャラリーモードへ移行する。ただし、記憶部２５に移行時刻が記憶されていない場合は、常に、現在時刻が移行時刻に達していないと判定されるようにしておく。
本実施の形態では、移行時刻として、電源キー３３１又はギャラリーキー３３２が操作された時点の現在時刻が記憶部２５に書き込まれる。移行時刻とは、以前にユーザがギャラリーモードへの移行を所望した時刻である。つまり、現在時刻が移行時刻に達した場合とは、ユーザがギャラリーモードへの移行を所望する可能性がある場合である。
【００９５】
なお、表示装置２がギャラリーモードへ移行するタイミングは、上述のものに限定されず、例えば、視聴モードに移行してから長時間が経過した場合、又は、表示装置２に映像信号が入力されなくなった場合等でもよい。或いは、視聴モードにあって、画像送信装置１の操作部１３、表示装置２の操作部２３、及びリモコン３の操作部３３の何れかが最後に操作されてから所定時間が経過した場合に、表示装置２がギャラリーモードへ移行してもよい。
また、インテリアモードで、ユーザが表示装置２の近傍に存在するか否か、又はユーザが表示部２０を注視しているか否かに応じて、表示装置２がギャラリーモードへ移行するか否かが判定されてもよい。
【００９６】
ギャラリーモードへ移行すべき移行時刻は、複数種類が記憶されてもよい。又は、既に記憶してある移行時刻に、新たな移行時刻が上書きされてもよい。
また、移行時刻を記憶するか否かをユーザが選択可能であってもよい。
更に、ユーザが移行時刻を設定する構成でもよい。この構成においては、現在時刻が移行時刻に達した場合とは、ユーザがギャラリーモードへの移行を確実に所望する場合である。
更にまた、ユーザが動画像及び音声の視聴しているというのに、勝手に静止画像に切り替わってしまう不都合を抑制するために、インテリアモードでのみ、現在時刻が移行時刻に達した場合に表示装置２がギャラリーモードへ移行してもよい。
【００９７】
インテリアモードでは、ギャラリーモードと同様に、画像送信装置１から表示装置２へ映像信号が出力されない。表示装置２では、ギャラリーモードで読み出される静止画像データと同じ静止画像データが読み出される。このとき、表示装置２では、読み出された静止画像データに基づく低い画質の静止画像が表示部２０に表示されると共に、バックライト２２が表示部２０をやや暗く照明し、音声は出力されない。従って、インテリアモードの消費電力は低い。
【００９８】
つまり、インテリアモードとは、表示部２０に、風景又は絵画の静止画像（第３の画像）が、視認に堪え得る画質及び低い輝度で表示されるモードである。インテリアモードでは、表示装置２は、応接間に飾られている絵画と同様に、インテリアとしての効果を奏する。
なお、インテリアモードで表示される静止画像は、ギャラリーモードで表示される静止画像と異なっていてもよい。
【００９９】
インテリアモードへの移行は、ユーザが表示装置２の近傍に存在していない場合に行なわれる。
表示装置２の近傍に存在しないユーザは、表示部２０を遠くから視認することはあっても、表示部２０に表示された静止画像を積極的に注視することは滅多にないと考えられる。このとき、表示部２０に風景又は絵画等の静止画像がそれなりの画質で表示されていれば、表示部２０の美観が向上され、壁５に表示装置２が取り付けられていることに起因する違和感を低減することができる。
【０１００】
ところで、インテリアモードの静止画像は、遠距離で眺めて見苦しくない程度の画質及び輝度を有していればよい。このため、インテリアモードに係る画質及び輝度は、ギャラリーモードに係る画質及び輝度よりも更に低く設定してあっても問題はない。しかも、画質及び輝度を更に低くすることによって、消費電力を、ギャラリーモードの消費電力よりも更に低くすることができる。
仮に、ギャラリーモードに係る輝度が高い場合、例えば、ユーザが存在しない暗い部屋の中で、表示装置２だけが明るく光っているようなことにもなりかねないため、部屋の外から中を覗き見たユーザに対して、違和感を与える虞がある。
【０１０１】
表示装置２の近傍にユーザが存在しているか否かを判定するためには、光センサ２４の光量検出値が用いられる。
光センサ２４の光量検出値が、記憶部２５に記憶されている光量閾値を超過している場合、表示装置２の周辺が明るい（例えば昼間、又は電灯が点灯している夜間等である）ことがわかる。このため、第２制御部２１は、表示装置２の近傍にユーザが存在していると判定する。一方、光センサ２４の光量検出値が、記憶部２５に記憶されている光量閾値以下である場合、表示装置２の周辺が暗い（例えば電灯が消灯している夜間である）ことがわかる。このため、第２制御部２１は、表示装置２の近傍にユーザが存在していないと判定する。
【０１０２】
ギャラリーモードである表示装置２の近傍にユーザが存在している場合、表示装置２はギャラリーモードを継続する。一方、ギャラリーモードである表示装置２の近傍にユーザが存在していない場合、表示装置２は、ギャラリーモードからインテリアモードへ移行する。
本実施の形態においては、光量閾値は、ユーザの使用形態に応じて変更可能にしてある。仮に、光量閾値が常に一定である場合、光量閾値よりも暗い場所で表示装置２を使用するユーザが表示装置２の近傍に存在しているにも関わらず、表示装置２がギャラリーモードからインテリアモードへ移行し、低画質の静止画像をユーザが間近で注視してしまう虞がある。
【０１０３】
光量閾値の変更は、リモコン３の電源キー３３１又はギャラリーキー３３２が操作された時点で光センサ２４によって検出された光量検出値が、記憶部２５に記憶してある光量閾値未満である場合に実行される。このとき、第２制御部２１は、既に記憶してある光量閾値を上書きする形で、操作時点の光量検出値を新たな光量閾値として記憶部２５に記憶させる。ただし、デフォルトの光量閾値は上書きされない。リモコン３の図示しないリセットキーが操作された場合、第２制御部２１が書き込んだ光量閾値は消去される。
【０１０４】
なお、光量閾値を記憶するか否かをユーザが選択可能であってもよい。
また、ユーザの存否を判定する条件は、表示装置２の周辺の明るさに限定されるものではない。例えば、表示装置２からユーザまでの距離（遠ければユーザは存在しない）、表示装置２の近傍の床面に加えられる重量（軽ければユーザは存在しない）、現在時刻（真夜中から早朝まではユーザは存在しない）、又はギャラリーモードへ移行してからの経過時間（長時間経過していればユーザは存在しない）等に基づいてユーザの存否が判定されてもよい。
【０１０５】
或いは、表示装置２の近傍の温度分布（３６℃前後の物体が存在すれば、ユーザは存在する）、表示装置２の近傍の音量（大きな音がすれば、ユーザは存在する）等に基づいてユーザの存否が判定されてもよい。さもなくば、表示装置２の使用履歴に基づいてユーザの存否が判定されてもよい。
更にまた、表示装置２の周辺が急に暗くなった場合は、ユーザが表示装置２の近傍に近寄り、急に明るくなった場合は、ユーザが表示装置２の近傍から遠ざかったと考えられるため、明るさの変化に基づいて、ユーザの存否が判定されてもよい。
【０１０６】
また、ユーザの存否ではなく、ユーザが表示部２０を注視しているか否かを判定することによって、ギャラリーモードを継続するかインテリアモードへ移行するかが判定される構成でもよい。この場合、ユーザの顔又は目を検出し、ユーザの顔又は目が表示部２０の方に向けられていれば、ユーザが表示部２０を注視していると判定する。
【０１０７】
図５は、表示装置２と画像送信装置１との間で実行される映像送受信処理の手順を示すフローチャートであり、図６及び図７は、表示装置２で実行される画像表示処理の手順を示すフローチャートである。図５に示すＳ２３、Ｓ２４、Ｓ２８及びＳ３０の各処理は、図６及び図７に示す画像表示処理の一部であり、図６に示すＳ２３、Ｓ２４、及びＳ２８の各処理、並びに図７に示すＳ３０の処理に等しい。
まず、図５に示す映像送受信処理を説明する。ここで、画像送信装置１及び表示装置２は、夫々スタンバイ状態であるものとする。スタンバイ状態の表示装置２は、ギャラリーモード及びインテリアモードの何れかである。
【０１０８】
スタンバイ状態にある表示装置２の第２制御部２１は、スタンバイ状態からオン状態になる（即ちギャラリーモード又はインテリアモードから視聴モードへ移行する）場合に、画像送信装置１に映像信号の送信を要求する。このために、第２制御部２１は、制御信号である映像要求信号を、ＣＥＣ線４２を介して画像送信装置１へ送信する（Ｓ２３）。次いで、第２制御部２１は、表示装置２の各部を視聴モードへ移行させる（Ｓ２４）。この結果、表示装置２はオン状態になる。
【０１０９】
オン状態にある表示装置２の第２制御部２１は、オン状態からスタンバイ状態になる（即ち視聴モードからギャラリーモードへ移行する）場合に、画像送信装置１に映像信号の送信停止を要求する。このために、第２制御部２１は、制御信号である停止要求信号を、ＣＥＣ線４２を介して画像送信装置１へ送信する（Ｓ２８）。次いで、第２制御部２１は、表示装置２の各部をギャラリーモードへ移行させる（Ｓ３０）。この結果、表示装置２はスタンバイ状態になる。
【０１１０】
一方、スタンバイ状態にある画像送信装置１の第１制御部１１は、ＣＥＣ線４２を介して映像要求信号を受信したか否かを判定し（Ｓ１１）、受信していない場合は（Ｓ１１でＮＯ）、Ｓ１１の処理を繰り返し実行する。
映像要求信号を受信した場合（Ｓ１１でＹＥＳ）、第１制御部１１は、画像送信装置１の各部をオン状態にする（Ｓ１２）。
オン状態にある画像送信装置１の第１制御部１１は、ＨＤＭＩ信号送信部１９２から映像信号を表示装置２へ送信させ（Ｓ１３）、また、ＣＥＣ線４２を介して、停止要求信号を受信したか否かを判定する（Ｓ１４）。
停止要求信号を受信していない場合（Ｓ１４でＮＯ）、第１制御部１１は、映像信号の送信を継続させつつ、Ｓ１４の処理を繰り返し実行する。
【０１１１】
停止要求信号を受信した場合（Ｓ１４でＹＥＳ）、第１制御部１１は、ＨＤＭＩ信号送信部１９２からの映像信号の送信を停止させ（Ｓ１５）、画像送信装置１の各部をスタンバイ状態にする（Ｓ１６）。Ｓ１６の処理終了後、第１制御部１１は、処理をＳ１１へ戻す。
【０１１２】
次に、図６及び図７に示す画像表示処理を説明する。ここで、表示装置２は、インテリアモードであるものとする。
インテリアモードである表示装置２の第２制御部２１は、図６に示すように、受信部２６を介して電源信号を受信したか否かを判定する（Ｓ２１）。
インテリアモードで電源信号を受信した場合（Ｓ２１でＹＥＳ）、第２制御部２１は、後述する明暗確認処理を行なうサブルーチン（図８参照）を呼び出し、実行する（Ｓ２２）。
【０１１３】
図８は、表示装置２で実行される明暗確認処理手順のサブルーチンを示すフローチャートである。
第２制御部２１は、光センサ２４の光量検出値を取得し（Ｓ５１）、取得した光量検出値が、記憶部２５に記憶されている光量閾値以上であるか否かを判定する（Ｓ５２）。つまり、Ｓ５２における第２制御部２１は、結果判定手段として機能する。
【０１１４】
光センサ２４の光量検出値が、光量閾値未満である場合（Ｓ５２でＮＯ）、第２制御部２１は、Ｓ５１で取得した光量検出値を、新たな光量閾値として記憶部２５に記憶させ（Ｓ５３）、処理を元のルーチンへ戻す。つまり、表示装置２の近傍にユーザが確実に存在するにも関わらず、表示装置２の周辺が暗い場合に、光量閾値が変更される。Ｓ５３における第２制御部２１は、閾値変更手段として機能する。
【０１１５】
光センサ２４の光量検出値が、光量閾値以上である場合（Ｓ５２でＹＥＳ）、第２制御部２１は、処理を元のルーチンへ戻す。つまり、表示装置２の近傍にユーザが確実に存在し、しかも表示装置２の周辺が明るい場合は、現在の光量閾値が維持される。
【０１１６】
図６に示すように、Ｓ２２の処理終了後、第２制御部２１は、映像要求信号を画像送信装置１へ送信する（Ｓ２３）。この結果、表示装置２に画像送信装置１から映像信号が与えられる。
次いで、第２制御部２１は、表示装置２の各部を視聴モードへ移行させる（Ｓ２４）。Ｓ２４の処理では、第２制御部２１は、信号処理部２９０を制御して、高い画質の動画像を高い輝度で表示部２０に表示させ、スピーカ２９３から音声を出力させる。つまり、Ｓ２４における信号処理部２９０は、第２制御部２１に制御されて、第１表示制御手段として機能する。
【０１１７】
図９は、表示装置２の信号処理部２９０が実行する視聴モードの表示処理の手順を示すフローチャートである。
第２制御部２１に制御されて視聴モードへ移行した信号処理部２９０は、ＨＤＭＩ信号受信部２９２から映像信号が入力されたか否かを判定し（Ｓ６１）、入力されていない場合は（Ｓ６１でＮＯ）、Ｓ６１の処理を繰り返し実行する。
映像信号が入力された場合（Ｓ６１でＹＥＳ）、信号処理部２９０は、画像処理部２９４を制御して、高画質化回路２ａをオンし（Ｓ６２）、低解像度化回路２ｂをオフし（Ｓ６３）、バックライト２２をＰＷＭ制御して、高い輝度で照明させる（Ｓ６４）。この状態で、信号処理部２９０は、表示部２０に動画像を表示させる（Ｓ６５）。
【０１１８】
図６に示すように、Ｓ２４の処理終了後、視聴モードである表示装置２の第２制御部２１は、受信部２６を介して電源信号を受信したか否かを判定する（Ｓ２５）。
視聴モードで電源信号を受信した場合（Ｓ２５でＹＥＳ）、第２制御部２１は、明暗確認処理を行なうサブルーチンを呼び出し、実行する（Ｓ２６）。また、第２制御部２１は、時計部２８が計時した現在時刻を、移行時刻として記憶部２５に記憶させる（Ｓ２７）。更に、第２制御部２１は、停止要求信号を画像送信装置１へ送信する（Ｓ２８）。この結果、表示装置２に映像信号が与えられなくなる。
【０１１９】
Ｓ２８の処理完了後、第２制御部２１は、図７に示すように、可搬型記録媒体６又は記憶部２５から静止画像データを読み出し（Ｓ２９）、表示装置２の各部をギャラリーモードへ移行させる（Ｓ３０）。Ｓ３０の処理では、第２制御部２１は、Ｓ２９で読み出した静止画像データを信号処理部２９０に入力し、更に、信号処理部２９０を制御して、中程度の画質の動画像を中程度の輝度で表示部２０に表示させる。つまり、Ｓ３０における信号処理部２９０は、第２制御部２１に制御されて、第２表示制御手段として機能する。
【０１２０】
図１０は、表示装置２の信号処理部２９０が実行するギャラリーモードの表示処理の手順を示すフローチャートである。
第２制御部２１に制御されてギャラリーモードへ移行した信号処理部２９０は、自身に静止画像データが入力されたか否かを判定し（Ｓ７１）、入力されていない場合は（Ｓ７１でＮＯ）、Ｓ７１の処理を繰り返し実行する。ところで、ギャラリーモードへ移行した後で、信号処理部２９０に映像信号が入力されたとしても、入力された映像信号を破棄して、Ｓ７１以降の処理を実行すればよい。
【０１２１】
静止画像データが入力された場合（Ｓ７１でＹＥＳ）、信号処理部２９０は、画像処理部２９４を制御して、高画質化回路２ａをオフし（Ｓ７２）、低解像度化回路２ｂをオフし（Ｓ７３）、バックライト２２をＰＷＭ制御して、中程度の輝度で照明させる（Ｓ７４）。この状態で、信号処理部２９０は、表示部２０に静止画像を表示させる（Ｓ７５）。
【０１２２】
図６に示すように、インテリアモードで電源信号を受信していない場合（Ｓ２１でＮＯ）、図７に示すように、第２制御部２１は、受信部２６を介してギャラリー信号を受信したか否かを判定する（Ｓ３１）。
インテリアモードでギャラリー信号を受信した場合（Ｓ３１でＹＥＳ）、第２制御部２１は、図８に示す明暗確認処理を行なうサブルーチンを呼び出し、実行する（Ｓ３２）。また、第２制御部２１は、時計部２８が計時した現在時刻を、移行時刻として記憶部２５に記憶させる（Ｓ３３）。Ｓ３３の処理終了後、第２制御部２１は、Ｓ２９及びＳ３０の処理を実行して、表示装置２の各部をギャラリーモードへ移行させる。
【０１２３】
インテリアモードでギャラリー信号を受信していない場合（Ｓ３１でＮＯ）、第２制御部２１は、時計部２８が計時した現在時刻が、記憶部２５に記憶されている移行時刻に達しているか否かを判定する（Ｓ３４）。Ｓ３４における第２制御部２１は、時刻判定手段として機能する。
インテリアモードで現在時刻が移行時刻に達している場合（Ｓ３４でＹＥＳ）、第２制御部２１は、Ｓ２９及びＳ３０の処理を実行して、表示装置２の各部をギャラリーモードへ移行させる。
インテリアモードで現在時刻が移行時刻に達していない場合（Ｓ３４でＮＯ）、第２制御部２１は、処理をＳ２１へ戻す。
【０１２４】
図６に示すように、視聴モードで電源信号を受信していない場合（Ｓ２５でＮＯ）、第２制御部２１は、受信部２６を介してギャラリー信号を受信したか否かを判定する（Ｓ３５）。
視聴モードでギャラリー信号を受信した場合（Ｓ３５でＹＥＳ）、第２制御部２１は、処理をＳ２６へ移して、図８に示す明暗確認処理を行なうサブルーチンを呼び出し、実行する。この後、第２制御部２１は、Ｓ２７〜Ｓ３０の処理を実行して、表示装置２の各部をギャラリーモードへ移行させる。
【０１２５】
視聴モードでギャラリー信号を受信していない場合（Ｓ３５でＮＯ）、第２制御部２１は、時計部２８が計時した現在時刻が、記憶部２５に記憶されている移行時刻に達しているか否かを判定する（Ｓ３６）。Ｓ３６における第２制御部２１は、時刻判定手段として機能する。
視聴モードで現在時刻が移行時刻に達している場合（Ｓ３６でＹＥＳ）、第２制御部２１は、Ｓ２８〜Ｓ３０の処理を実行して、表示装置２の各部をギャラリーモードへ移行させる。
視聴モードで現在時刻が移行時刻に達していない場合（Ｓ３６でＮＯ）、第２制御部２１は、処理をＳ２５へ戻す。
【０１２６】
図７に示すように、Ｓ３０の処理終了後、ギャラリーモードである表示装置２の第２制御部２１は、受信部２６を介して電源信号を受信したか否かを判定する（Ｓ４１）。
ギャラリーモードで電源信号を受信した場合（Ｓ４１でＹＥＳ）、第２制御部２１は、図６に示すＳ２２〜Ｓ２４の処理を実行して、表示装置２の各部を視聴モードへ移行させる。
【０１２７】
ギャラリーモードで電源信号を受信していない場合（Ｓ４１でＮＯ）、第２制御部２１は、光センサ２４の光量検出値を取得し（Ｓ４２）、取得した光量検出値が、記憶部２５に記憶されている光量閾値以下であるか否かを判定する（Ｓ４３）。Ｓ４３における第２制御部２１は、継続判定手段として機能する。
ギャラリーモードで、光センサ２４の光量検出値が光量閾値を超過している場合（Ｓ４３でＮＯ）、第２制御部２１は、処理をＳ４１へ戻す。
【０１２８】
ギャラリーモードで、光センサ２４の光量検出値が光量閾値以下である場合（Ｓ４３でＹＥＳ）、第２制御部２１は、可搬型記録媒体６又は記憶部２５から静止画像データを読み出し（Ｓ４４）、表示装置２の各部をインテリアモードへ移行させる（Ｓ４５）。Ｓ４５の処理では、第２制御部２１は、Ｓ４４で読み出した静止画像データを信号処理部２９０に入力し、更に、信号処理部２９０を制御して、低い画質の動画像を低い輝度で表示部２０に表示させる。つまり、Ｓ４５における信号処理部２９０は、第２制御部２１に制御されて、第３表示制御手段として機能する。
【０１２９】
図１１は、表示装置２の信号処理部２９０が実行するインテリアモードの表示処理の手順を示すフローチャートである。
第２制御部２１に制御されてインテリアモードへ移行した信号処理部２９０は、自身に静止画像データが入力されたか否かを判定し（Ｓ８１）、入力されていない場合は（Ｓ８１でＮＯ）、Ｓ８１の処理を繰り返し実行する。
静止画像データが入力された場合（Ｓ８１でＹＥＳ）、信号処理部２９０は、画像処理部２９４を制御して、高画質化回路２ａをオフし（Ｓ８２）、低解像度化回路２ｂをオンし（Ｓ８３）、バックライト２２をＰＷＭ制御して、低い輝度で照明させる（Ｓ８４）。この状態で、信号処理部２９０は、表示部２０に静止画像を表示させる（Ｓ８５）。
【０１３０】
ところで、低解像度化回路２ｂの消費電力は、高画質化回路２ａの消費電力よりも低い。しかも、低解像度化回路２ｂが電力を消費している場合には、バックライト２２の消費電力が低減される。このため、低解像度化回路２ｂがオンされることによって、インテリアモードの消費電力が、視聴モードの消費電力又はギャラリーモードの消費電力を上回ることはない。
【０１３１】
図７に示すように、Ｓ４５の処理終了後、インテリアモードである表示装置２の第２制御部２１は、処理をＳ２１へ戻す（図６参照）。
以上のような映像送受信処理を実行することによって、第２制御部２１は、切替手段として機能する。また、Ｓ２１、Ｓ２５、Ｓ３１、Ｓ３５、及びＳ４１における第２制御部２１は、受付手段として機能する。
ところで、表示装置２がギャラリーモードにある状態で、ユーザがギャラリーキー３３２を操作した場合、第２制御部２１は、受信したギャラリー信号を破棄する。
【０１３２】
なお、ギャラリーモード又はインテリアモードから視聴モードへ移行するまでには時間が掛かるため、表示部２０の表示内容が静止画像から動画像に切り替わるまでの間に、ユーザが電源キー３３１を複数回操作する虞がある。このとき、視聴モードへの移行とギャラリーモードへの移行とが繰り返し実行されてしまうという不都合が生じる。
このような不都合を解消するために、リモコン３に、電源キー３３１及びギャラリーキー３３２とは別に、ギャラリーモード又はインテリアモードの表示装置２を視聴モードへ移行させるための視聴再開キーを設けてもよい。
【０１３３】
視聴再開キーが設けられている構成では、表示装置２がギャラリーモード又はインテリアモードにある状態で、ユーザが視聴再開キーを操作した場合、視聴再開キーに対応した操作信号を受信した第２制御部２１は、図６に示すＳ２２〜Ｓ２４の処理を実行して、表示装置２の各部を視聴モードへ移行させる。一方、表示装置２がギャラリーモード又はインテリアモードにある状態で、ユーザが電源キー３３１を操作した場合、第２制御部２１は、受信した電源信号を破棄する。
【０１３４】
最後に、インテリアモードにおける静止画像データの低解像度化と、バックライト２２の低輝度化について説明する。
図１２は、表示部２０及びバックライト２２の構成を説明する模式図である。
表示部２０の表示画面は、マトリクス状に配された複数個の矩形状の表示領域２０ａ，２０ａ，…に仮想的に分割されている。バックライト２２には、各表示領域２０ａに対応して、ＬＥＤ２２１が配設されている。図中の横方向及び縦方向夫々に並置してある数字は、便宜的に、表示領域２０ａ，２０ａ，…及びＬＥＤ２２１，２２１，…のアドレスを示している。
各表示領域２０ａには、マトリクス状に配された複数個の画素が含まれている。
【０１３５】
画像処理部２９４の低解像度化回路２ｂでは、低輝度化処理が実行される。低輝度化処理が実行された場合、まず、静止画像データに基づいて、例えばアドレス（１，１）の表示領域２０ａに含まれる全ての画素に係る平均輝度値が算出される。
算出された平均輝度値が所定値以下である場合、この表示領域２０ａに含まれる全ての画素に係る輝度値が“０”に変更される（即ち、静止画像データのサイズを変更することなく、静止画像データの画素が間引かれる）。この結果、この表示領域２０ａは黒ブロックとなる。
【０１３６】
一方、算出された平均輝度値が所定値を超過している場合、この表示領域２０ａに含まれる画素の輝度値は変更されない。この結果、この表示領域２０ａには、カラー又はモノクロームの静止画像が表示される。
次いで、低解像度化回路２ｂでは、アドレス（１，２）の表示領域２０ａについて、同様の低輝度化処理が実行され、この後、アドレス（１，３），（１，４），…，（４，５）夫々について、順に、同様の低輝度化処理が実行される。
【０１３７】
低解像度化回路２ｂにおける処理結果は、信号処理部２９０に与えられる。この場合、例えばアドレス（１，１）の表示領域２０ａに係る平均輝度値が所定値以下であり、アドレス（１，２）の表示領域２０ａに係る平均輝度値が所定値を超過しているとき、信号処理部２９０は、例えばアドレス（１，１）のＬＥＤ２２１を消灯させ、アドレス（１，２）のＬＥＤ２２１を消灯させる。つまり、低輝度化処理によって黒ブロックにされた表示領域２０ａに対応するＬＥＤ２２１が消灯される。以後、信号処理部２９０は、アドレス（１，３），（１，４），…，（４，５）夫々のＬＥＤ２２１を、低解像度化回路２ｂにおける処理結果に基づいて点灯又は消灯させる。
【０１３８】
なお、画像処理部２９４が低輝度化処理を実行しない（即ち、静止画像データの画素が間引かれない）構成でもよい。この場合でも、信号処理部２９０は、各表示領域２０ａに係る平均輝度値が低い（高い）場合に、この表示領域２０ａに対応するＬＥＤ２２１を消灯（点灯）する。
また、平均輝度値を算出する前に、静止画像データの画素を、適宜に（例えば１画素おきに）間引くか、又は、全画素の輝度値を一様に低減させてもよい。この場合、消灯されるＬＥＤ２２１，２２１，…の個数が増加することが期待される。
【０１３９】
更に、静止画像データに基づいてエッジを抽出し、抽出したエッジに囲まれる領域の平均輝度値が低い場合に、この領域に含まれる画素を間引いてもよい。
画素を間引く場合、各表示領域２０ａに含まれる画素を全部間引く構成に限定されず、適宜の条件で間引く構成でよい。これは、例えば輝度値が低い画素のみ間引く構成、又は、ＲＧＢの画素値が一様に広がっている領域について１画素おきに間引く構成等である。ＲＧＢの画素値が一様に広がっている領域とは、例えば注目画素の画素値と、注目画素の周囲８画素夫々の画素値との差が所定範囲以内の領域である。
【０１４０】
また、ＲＧＢの画素値が一様に広がっている領域についてのみ、ＬＥＤ２２１，２２１，…の点灯割合を減らす構成でもよく、ＲＧＢの緑の画素値が高い表示領域２０ａ（即ち、視覚的に明るく見える表示領域２０ａ）に対応するＬＥＤ２２１を消灯させてもよい。更に、如何なる静止画像データに対しても、ＬＥＤ２２１，２２１，…を同じ条件で（例えば１個おきに）点灯／消灯させる構成でもよい。
【０１４１】
更にまた、ギャラリーモードにおいても静止画像データを低解像度化させてもよい。ただし、ギャラリーモードにおいて解像度を低下させる度合いは、インテリアモードにおいて解像度を低下させる度合いよりも小さくなるよう設定されるべきである。また、ギャラリーモードでも、バックライト２２のＬＥＤ２２１，２２１，…の点灯割合が減らされる構成でもよい。ただし、ギャラリーモードにおいて消灯されるＬＥＤ２２１，２２１，…の個数は、インテリアモードにおいて消灯されるＬＥＤ２２１，２２１，…の個数よりも少なくなるよう設定されるべきである。
【０１４２】
なお、今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
例えば、本実施の形態では画像送信装置１と表示装置２とが別体の表示システムを例示しているが、表示装置２自身が画像送信装置１の機能（チューナ機能、又はレコーダ機能等）を有し、表示装置２が単体で用いられる構成でもよい。
【０１４３】
また、バックライト２２の明るさの増減のみで消費電力を増減してもよい。更にまた、低解像度化回路２ｂは常にオフし、バックライト２２の明るさの増減と高画質化回路２ａのオン／オフとで消費電力を増減してもよい。
表示部２０が、自発光型の表示パネルを用いてなる場合、バックライト２２を備える必要はないため、バックライト２２が照明する明るさを増減する代わりに、表示部２０が発光する明るさを増減することによって、消費電力を増減してもよい。
更に、本発明の効果がある限りにおいて、表示装置２に、実施の形態に開示されていない構成要素が含まれていてもよい。
【図面の簡単な説明】
【０１４４】
【図１】本発明の実施の形態に係る表示装置を含む表示システムの概要を示す模式図である。
【図２】本発明の実施の形態に係る表示装置へ映像信号を送信する画像送信装置の要部構成を示すブロック図である。
【図３】本発明の実施の形態に係る表示装置の要部構成を示すブロック図である。
【図４】本発明の実施の形態に係る表示装置を遠隔操作するためのリモコンの要部構成を示すブロック図である。
【図５】本発明の実施の形態に係る表示装置と画像送信装置との間で実行される映像送受信処理の手順を示すフローチャートである。
【図６】本発明の実施の形態に係る表示装置で実行される画像表示処理の手順を示すフローチャートである。
【図７】本発明の実施の形態に係る表示装置で実行される画像表示処理の手順を示すフローチャートである。
【図８】本発明の実施の形態に係る表示装置で実行される明暗確認処理手順のサブルーチンを示すフローチャートである。
【図９】本発明の実施の形態に係る表示装置の信号処理部が実行する視聴モードの表示処理の手順を示すフローチャートである。
【図１０】本発明の実施の形態に係る表示装置の信号処理部が実行するギャラリーモードの表示処理の手順を示すフローチャートである。
【図１１】本発明の実施の形態に係る表示装置の信号処理部が実行するインテリアモードの表示処理の手順を示すフローチャートである。
【図１２】本発明の実施の形態に係る表示装置の表示部及びバックライトの構成を説明する模式図である。
【符号の説明】
【０１４５】
２    表示装置
２０  表示部
２１  第２制御部
２２  バックライト
２４  光センサ（センサ）
２５  記憶部（時刻記憶手段）
２ａ  高画質化回路（高画質化部）
２ｂ  低解像度化回路（低画質化部）
２Ｐ  制御プログラム（コンピュータプログラム）
２８  時計部（時計手段）
【図１】
2010134381.tif 000003
【図２】
2010134381.tif 000004
【図３】
2010134381.tif 000005
【図４】
2010134381.tif 000006
【図５】
2010134381.tif 000007
【図６】
2010134381.tif 000008
【図７】
2010134381.tif 000009
【図８】
2010134381.tif 000010
【図９】
2010134381.tif 000011
【図１０】
2010134381.tif 000012
【図１１】
2010134381.tif 000013
【図１２】
2010134381.tif 000014